(57)【要約】【課題】  地下水を取り入れる為に深井戸管に設けているストレーナの一部が損傷又は破損している該深井戸管を洗浄方法の提供。【解決手段】  深井戸管１より一回り細いケーシング管２を内部に挿入し、そしてケーシング管内に洗浄装置３を下ろし、洗浄装置３の回転体１７に取付けた噴射ノズル５，５・・・から洗浄車から供給される水を噴射し、ケーシング管２のストレーナを介して深井戸管１のストレーナ６に詰まった汚れやゴミを除去する。【選択図】    図１
2011062585.tif 000002
【特許請求の範囲】
【請求項１】
地下水を取り入れる為に深井戸管に設けているストレーナの一部が損傷又は破損している該深井戸管を洗浄する方法において、深井戸管より一回り細いケーシング管を内部に挿入し、そしてケーシング管内に洗浄装置を下ろし、洗浄装置の回転体に取付けた噴射ノズルから洗浄車より供給される水を噴射し、ケーシング管のストレーナを介して深井戸管のストレーナに詰まった目詰まり、汚れ、サビ、付着物を除去することを特徴とする深井戸管の洗浄方法。
【発明の詳細な説明】
【技術分野】
【０００１】
本発明は消雪装置用、工業用、上水水源用等の深井戸管内の汚れを除去し、特に深井戸管に設けているストレーナの一部が損傷又は破損し、該ストレーナに付着した泥やその他の異物により目詰まりを起こし、水が上がり難くなった該ストレーナを洗浄することが出来る洗浄方法に関するものである。
【背景技術】
【０００２】
日本国内では１００万本といわれる本数の深井戸が設けられているが、この深井戸管のストレーナは目が細かくて泥や砂、サビ、水藻等の異物が付着して目詰まりを発生する。その結果、水が上がり難く、深井戸としての機能を失ってしまう。目詰まりは毎日使用されている深井戸は比較的少ないが、例えば消雪装置用としての深井戸の場合であれば１年のうち冬期だけ使用する為に、水を使用しない期間に深井戸管内に泥やその他の異物が付着してしまう。勿論、常に使用している井戸の場合であっても目詰まりを発生する。
【０００３】
付着した泥等の異物は乾いて固まり、使用する時には目詰まりを起こして水が上がりにくくなる。それを繰り返して長年経過した後で、水圧が弱くなったところでストレーナの洗浄が行なわれて来ている。しかし、従来の深井戸管内のストレーナの洗浄方法は、櫓を立ててワイヤーブラシを挿入し、該ワイヤーブラシを上下に動かして洗浄したり、或は深井戸管内に差し水を行なってポンプで上下に移動し、水圧により洗浄を行なっている。
【０００４】
しかしワイヤーブラシでストレーナ面を擦ったり又は差し水を上下方向に移動するだけでは、該ストレーナの奥深くまで入り込んでいる泥やその他の異物を取除くことが出来ない。すなわち、ストレーナの穴に入り込んだ目詰まりを十分に解消することは出来ない。又従来の方法では十分な洗浄が出来ないと共に、時間がかかり洗浄コストも高くなる。この他に、空気を注入して洗浄する方法や薬品を注入して洗浄する方法なども知られているが、十分な効果を上げていない。
【０００５】
そこで、水を旋回しながら高速で噴射して汚れを除去すると共にストレーナの目詰まりを解消することが出来る洗浄装置が知られている。例えば、特開２００２−１９２０９４号に係る「深井戸管内の洗浄方法及び洗浄装置」は、深井戸の内面に付着した泥やその他の異物を、簡単にしかも効率よく取除くことが出来る洗浄方法である。すなわち、超高圧水ホースの先端に洗浄装置を連結し、該ホースと共に洗浄装置を深井戸に降ろし、洗浄装置に備えている噴射ノズルから超高圧水を回転しながら噴射して付着している汚れを除去することが出来る。
【０００６】
又、特開２００９−１８２１４号に係る「深井戸管内の洗浄方法及び洗浄装置」は、超高圧水ホースの先端に連結し、該ホースと共に降ろして深井戸管の洗浄を行なう洗浄装置であって、洗い落とされる汚れを収容する網籠を備えた洗浄装置である。そこで、上部ガイドと下部ガイドの間に回転体を軸支し、回転体の外周には複数の噴射ノズルを取付け、噴射ノズルからは超高圧水が噴射するように上記超高圧水ホースと連通し、そして噴射ノズルは超高圧水を噴射すると共に噴射に伴って上記回転体と共に回転し、さらに、下部ガイドの下方には噴射する水によって洗い落とされた泥やその他の汚れを収容する網籠を取付けている。
【０００７】
ところで、深井戸管のストレーナの一部に損傷や破損が存在する場合、高圧水を噴射する従来の洗浄装置を使うことが出来ない。すなわち、高圧水を噴射するならば、損傷又は破損領域を一段と拡大してしまう。
【特許文献１】特開２００２−１９２０９４号に係る「深井戸管内の洗浄方法及び洗浄装置」
【特許文献２】特開２００９−１８２１４号に係る「深井戸管内の洗浄方法及び洗浄装置」
【発明の開示】
【発明が解決しようとする課題】
【０００８】
このように、従来の洗浄方法には上記のごとき問題がある。本発明が解決しようとする課題はこの問題点であり、ストレーナの一部が損傷や破損している場合であっても、それ以上、破損することなく深井戸管の汚れを除去することが出来る洗浄方法を提供する。
【課題を解決するための手段】
【０００９】
本発明に係る洗浄方法に用いる洗浄装置は、水を高速で噴射する噴射ノズルを備え、この噴射ノズルは主軸を中心として回転することが出来る。すなわち、水を高速噴射することで、その反力によって噴射ノズルは回転することが出来る構造としている。そして、洗浄装置は給水車（超高圧洗浄車）から延びるホースの下端に連結されていて、該洗浄装置へは超高圧洗浄車から高圧水が送られて噴射ノズルから回転しながら噴射することが出来る。この方式は従来と共通しているが、ストレーナの一部が損傷又は破損している場合には高圧水を直接噴射して洗浄することが出来ない。
【００１０】
そこで、本発明では深井戸管に挿入される別のケーシング管が組み合わされ、該ケーシング管を深井戸管に挿入した状態で洗浄する。該ケーシング管は深井戸を構成する管とその構造は共通し、深井戸管に挿入出来るように一回り細く成っている。したがって、一定太さの鋼管で、その一部に複数の小さい穴を形成しているストレーナを有している。すなわち、ケーシングの基本構造は深井戸管と共通している。
【発明の効果】
【００１１】
本発明の洗浄方法は、深井戸管内に一回り小さいケーシング管を挿入し、このケーシング管を介して洗浄作業が行なわれる。従って、深井戸管のストレーナの一部が損傷している場合であっても、挿入された内側ケーシング管によって保護され、ストレーナがそれ以上損傷したり、破損することはない。そして、挿入した内側のケーシング管はそのままの状態とされるが、必要に応じて抜取ることも可能である。
【図面の簡単な説明】
【００１２】
【図１】深井戸管内にケーシング管を挿入して洗浄する様子を表している概略図。
【図２】深井戸管に設けているストレーナ。
【図３】洗浄装置の具体例。
【発明を実施するための形態】
【００１３】
図１は本発明に係る深井戸の洗浄方法を示す概略図である。同図の１は深井戸管、２はケーシング管、３は洗浄装置を夫々表し、深井戸管１に洗浄装置３を降ろして深井戸管のストレーナ６に付着した汚れを落としている洗浄作業を示している。洗浄装置３は超高圧洗浄車（図示なし）のドラムに巻付いている超高圧水ホース４を巻き戻し、深井戸管１の真上に配置している滑車に巻き付いて超高圧水ホース４はケーシング管２内に真っ直ぐに降ろされる。同図に示すように、本発明では深井戸管１を洗浄するに際して、内部にケーシング管２を挿入している。
【００１４】
深井戸管１の一部にはストレーナ６が設けられ、このストレーナ６は地下水７が進入することが出来る構造と成っている。ストレーナ構造は特に限定しないが、図２はストレーナ６の具体例である。該ストレーナ６は周囲に多数の穴８，８・・・を有す筒と、該筒の外周には上下方向に延びている複数本の枕線９，９・・・を等間隔で設け、さらに枕線９，９・・・の外周には巻線１０が間に僅かな隙間を残して捲き付けされている。
【００１５】
そこで、地下水７は該ストレーナ６に形成している僅かな隙間を通過して深井戸管内に流れ込むことが出来る。深井戸管１の一部に設けているストレーナ６には特に汚れが付着し、巻線１０の僅かな隙間及び小さな穴８，８・・・には泥や砂が詰まってしまい、地下水７がストレーナ６を通過して深井戸内に流れ込まないようになる。そこで、洗浄装置３の噴射ノズル５，５・・・から高圧水を噴射することで、深井戸管１のストレーナ６の穴８，８・・・及び巻線１０の隙間に詰まった泥や砂を除去することが出来る。
【００１６】
ところが、ストレーナ６が一部損傷している場合、又は破損している場合には、洗浄装置３にてそのまま洗浄することが出来ない。ストレーナ６は地下水７が進入するように多数の穴８，８・・・が貫通し、その為に他の部分に比較して強度的に弱く、外部から作用する土圧により内側へ窪み変形したり、一部に亀裂が生じたりする。従って、噴射ノズル５，５・・・から噴射する高圧水にて損傷部分が拡大してしまう。そこで、本発明では前記図１に示しているように深井戸管１の内部に一回り細いケーシング管２を嵌め、その状態で洗浄作業が行なわれる。
【００１７】
該洗浄装置３は超高圧水ホース４の下端に取付けられ、そして洗浄装置３には回転する噴射ノズル５，５・・が備わっていて、超高圧水を回転しながら噴射することで付着している汚れを洗い落とすことが出来る。一般に洗浄作業は上記洗浄装置３をケーシング管２の底に降ろした状態で、底から上方に吊上げながら行う。
【００１８】
図３は上記洗浄装置３を示している具体例である。洗浄装置３は超高圧水ホース４の下端に連結されているが、フレーム１１は上板１２と下板１３を４本の概略コ型桟１４，１４・・・にて連結して構成し、上板１２の上には遮蔽板１５が取付けられている。そしてフレーム１１の下板１３には連結具１６が取着されて超高圧水ホース４が連結している。又、下板１３の下側には回転体１７が回転自在に取付けられている。
【００１９】
ここで、回転体１７の具体的な取付け構造は特に限定せず、回転体１７の４方には噴射ノズル５，５・・・が取付けられて外方向へ延びている。連結具１６及び回転体１７には連通する穴が形成されていて、超高圧水ホース４を流れる水は連結具１６及び回転体１７を通過して噴射ノズル５，５・・・から噴射することが出来る。
【００２０】
ここで２本の噴射ノズル５ｂ，５ｂは中心を通る同一線上に位置しているが、別の２本の噴射ノズル５ａ，５ａは回転体１７の中心から位置ズレしている為に、噴射ノズル５ａ，５ａから噴射する水の反力により回転体１７は矢印方向に回転する。従って４本の噴射ノズル５ａ，５ａ，５ｂ，５ｂは回転しながら水を噴射してケーシング管２の内面に万遍なく吹き付けることが出来、該ケーシング管２に設けたストレーナを介して深井戸管１のストレーナ６を洗浄することが出来る。
【００２１】
すなわち、ケーシング管２にも地下水７は流れ込むようにストレーナを有しており、該ストレーナに設けている複数の穴から噴射される高圧水が入ってストレーナ６の穴８，８・・・の目詰まりを解除することが出来る。噴射ノズル５，５・・・から高速で噴射する水はダイレクトにストレーナ６に当ることはなく、ストレーナ６の一部が損傷している場合や破損している場合であっても、破損領域が拡大することなく目詰まりを解消できる。
【００２２】
同図に示す洗浄装置３では、回転体１７を回転する為に噴射ノズル５ａ，５ａが中心から位置ズレしているが、先端を屈曲している噴射ノズルを使用するならば、回転体１７の中心から位置ズレして取付ける必要はない。先端が屈曲することで噴射する水の噴射方向は半径方向ではなく、半径方向に対して傾斜することで回転体１７を回すトルクが発生する。
【００２３】
そしてフレーム１１の上板１２に取着している遮蔽板１５はその外周にパッド１８が設けられ、ケーシング管２の内面に接して隙間を生じないようにしている。該パッド１８はゴムやウレタンなどで、ケーシング管２の内面に接してもキズが付かない軟らかい材質が用いられる。そして超高圧水ホース４は中央に貫通した穴１９から上板１２を通過して連結具１６に繋がっている。
【００２４】
ところで、洗浄装置３は前記図１に示すように深井戸管１に挿入されたケーシング管２の奥深くヘ降ろされ、超高圧水を噴射ノズル５，５・・・から噴射しながら回転することで管内面およびストレーナ６の穴に詰まっている汚れを除去することが出来る。そして洗浄装置３の上端には遮蔽板１５が取付けられている為に、噴射する超高圧水は該遮蔽板１５に当って上方へは上がらない。従って、超高圧水の噴射に伴って上昇する水圧の低下が抑えられてストレーナ６に付着している汚れは除去され易くなる。
【００２５】
そして、該遮蔽板１５の中央であって超高圧水ホース４が挿通される穴１９はある程度大きくなっている為に、超高圧水ホース４との間には隙間が残されている。この隙間からは超高圧水を噴射ノズル５，５・・・から噴射することで洗い落とされた泥や砂などが押上げられて遮蔽板１５の上に堆積する。該隙間を通過して上がるのは泥や砂だけではなく噴射された水も同じであるが、水は他へ流れて比重が重い泥や砂だけが遮蔽板上に残される。
【００２６】
ここで、本発明の洗浄方法に使用される洗浄装置３の形態及びその構造は限定しない。あくまでも深井戸管内に別のケーシング管２を挿入して深井戸管１のストレーナ６を洗浄する方法である。そして、一旦挿入したケーシング管２を取外すことは自由であるが、一般にはそのままセットされる。
【符号の説明】
【００２７】
１  深井戸管
２  ケーシング管
３  洗浄装置
４  超高圧水ホース
５  噴射ノズル
６  ストレーナ
７  地下水
８  穴
９  枕線
10  巻線
11  フレーム
12  上板
13  下板
14  コ型桟
15  遮蔽板
16  連結具
17  回転体
18  パッド
19  穴
【図１】
2011062585.tif 000003
【図２】
2011062585.tif 000004
【図３】
2011062585.tif 000005